(57)【要約】      （修正有）【課題】簡易な構成で薬の飲忘れを防止することができ、万一、飲み忘れたような場合であっても、何時飲み忘れたかを一見して確認することができ、また、簡易な構成で箸を取り出し易くする病院用薬箱を提供する。【解決手段】内部を間仕切りによって複数のスペース２に区分した上方開放の病院用薬箱であって、スペース２は、薬を収容する薬収容スペース４と、箸又は箸箱を収容する箸収容スペース６と、に大別され、箸収容スペース６は、構成する底板４ｅの長手方向の手前側が下方に傾斜し、かつ、この底板４ｅの奥側に箸枕６ｅ２を備え、さらに、箸収容スペース６を構成する長手方向の壁板４ｃ、４ｄに凸部７及び凹部８を備え、間仕切りに一週間の曜日と投薬時間帯を明記することによって、服用していない薬を一見して確認できる。【選択図】図１
0003221059.tif 000002
【実用新案登録請求の範囲】
【請求項１】
内部を間仕切りによって複数のスペースに区分した上方開放の病院用薬箱であって、
前記スペースは、薬を収容する薬収容スペースと、箸又は箸箱を収容する箸収容スペースと、に大別され、
前記箸収容スペースは、構成する底板の長手方向の手前側が下方に傾斜し、かつ、この底板の奥側に箸枕を備え、
さらに、前記箸収容スペースを構成する長手方向の壁板に凸部及び凹部を備え、
前記間仕切りに一週間の曜日と投薬時間帯を明記することによって、服用していない薬を一見して確認できることを特徴とした病院用薬箱。
【請求項２】
前記箸収容スペースの両隣に前記薬収容スペースを配置したことを特徴とした請求項１に記載の病院用薬箱。
【請求項３】
前記薬収容スペースの底面に丸みが形成されたことを特徴とした請求項１又は請求項２に記載の病院用薬箱。
【請求項４】
前記薬収容スペースの開口部の四隅にＲ形状が形成されたことを特徴とした請求項１乃至請求項３のいずれか一に記載の病院用薬箱。
【請求項５】
前記病院用薬箱の薬箱本体の長手方向の壁面の開口部側に切欠を備えたことを特徴とした請求項１乃至請求項４のいずれか一に記載の病院用薬箱。
【請求項６】
前記薬収容スペースの前記開口部を封止する封止具を備えたことを特徴とした請求項１乃至請求項５のいずれか一に記載の病院用薬箱。
【請求項７】
前記スペースは、前記病院用薬箱に対して長手方向の複数の間仕切りと短手方向の複数の間仕切りが格子状に組み合わされて形成され、
長手方向の複数の前記間仕切りが前記病院用薬箱の高さ方向に交互に段違いで配置されていることを特徴とした請求項１乃至請求項６のいずれか一に記載の病院用薬箱。
【考案の詳細な説明】
【技術分野】
【０００１】
本考案は、箸又は箸箱を収容できる病院用薬箱に関する。
【背景技術】
【０００２】
薬を服用する時間としては、食前、食後、食間等のように、食事をする時間帯と大いに関連があるため、従来から薬の飲み忘れを防止することを目的として、食事の際に使用する箸と関連させた発明や考案が存在する。
【０００３】
文献１に記載の考案は、薬を収納する複数の薬箱と箸箱・箸立てを合体させたもので、薬箱のどれか一つを引き出すことによりロックが外れて箸箱・箸立ての蓋が開き、箸を手にすることができる考案である。
【先行技術文献】
【特許文献】
【０００４】
【特許文献１】特開２００５−８１０６７号公報
【考案の概要】
【考案が解決しようとする課題】
【０００５】
文献１は、薬箱のどれか一つを引き出すことによりロックが外れて箸箱・箸立ての蓋が開くという構造であるため、部品点数の増加や構造上複雑となり、コストがあがることとなる。また、万一、薬を飲み忘れた際、どの投薬時間帯を忘れたのか一見して確認することができない。さらには、直ぐさま箸を取り出すことが困難な場合がある。
【０００６】
そこで、本考案は、簡易な構成で薬の飲忘れを防止することができ、万一、飲み忘れたような場合であっても、何時飲み忘れたかを一見して確認することができる薬箱を提供する。また、簡易な構成で箸を取り出し易くする病院用薬箱を提供する。
【課題を解決するための手段】
【０００７】
請求項１の考案は、内部を間仕切りによって複数のスペースに区分した上方開放の病院用薬箱であって、スペースは、薬を収容する薬収容スペースと、箸又は箸箱を収容する箸収容スペースと、に大別され、箸収容スペースは、構成する底板の長手方向の手前側が下方に傾斜し、かつ、この底板の奥側に箸枕を備え、さらに、前記箸収容スペースを構成する長手方向の壁板に凸部及び凹部を備え、間仕切りに一週間の曜日と投薬時間帯を明記することによって、服用していない薬を一見して確認できることを特徴とした病院用薬箱である。
【０００８】
請求項２の考案は、箸収容スペースの両隣に前記薬収容スペースを配置したことを特徴とした請求項１に記載の病院用薬箱である。
【０００９】
請求項３の考案は、薬収容スペースの底面に丸みが形成されたことを特徴とした請求項１又は請求項２に記載の病院用薬箱である。
【００１０】
請求項４の考案は、薬収容スペースの開口部の四隅にＲ形状が形成されたことを特徴とした請求項１乃至請求項３のいずれか一に記載の病院用薬箱である。
【００１１】
請求項５の考案は、病院用薬箱の薬箱本体の長手方向の壁面の開口部側に切欠を備えたことを特徴とした請求項１乃至請求項４のいずれか一に記載の病院用薬箱である。
【００１２】
請求項６の考案は、薬収容スペースの前記開口部を封止する封止具を備えたことを特徴とした請求項１乃至請求項５のいずれか一に記載の病院用薬箱である。
【００１３】
請求項７の考案は、スペースは、病院用薬箱に対して長手方向の複数の間仕切りと短手方向の複数の間仕切りが格子状に組み合わされて形成され、長手方向の複数の間仕切りが病院用薬箱の高さ方向に交互に段違いで配置されていることを特徴とした請求項１乃至請求項６のいずれか一に記載の病院用薬箱である。
【考案の効果】
【００１４】
請求項１の考案では、食事と関連する薬と箸を一つの病院用薬箱の中に収容できることによって、食事の前後等に服用する薬の飲み忘れを防止し、万一、服用を忘れた場合は、その服用していない薬を病院内の看護師等が一目で確認することができる。また、箸収容スペースの載置面を傾斜させることによって箸や箸箱を容易に取り出すことができる。
【００１５】
請求項２の考案では、箸収容スペースの両隣に薬収容スペースを配置することによって、病院用薬箱を様々な場所に配置することができ、箸や箸箱を容易に取り出すことができる。
【００１６】
請求項３の考案では、薬収容スペースの底面に丸みを形成することによって、薬収容スペースに収容した薬を取り出し易くすることができる。
【００１７】
請求項４の考案では、薬収容スペースの開口部の四隅をＲ形状に形成することによって、薬収容スペースの汚れを洗浄し易くすることができる。
【００１８】
請求項５の考案では、薬箱本体の長手方向の壁面の開口部側に切欠を備えることによって、病院用薬箱を水で洗浄した際に乾き易くなる。
【００１９】
請求項６の考案では、封止具で薬収容スペースの開口部を封止することによって、薬を服用しなくてよい時間帯を一見して確認することができる。
【００２０】
請求項７の考案では、長手方向の複数の間仕切りが薬箱の高さ方向に交互に段違いで配置されているため、患者の指の太さに関わらず、薬収容部から薬を取り出しやすくなる。
【考案を実施するための最良の形態】
【００２１】
本考案である病院用薬箱の実施形態の一例を以下説明する。本考案は、食事に関連する薬と箸Ｓをセットにすることができる病院用薬箱１である。薬と箸Ｓを一緒にセットし、薬と食事と関連付けることによって食前の薬、食後の薬の飲み忘れを防止することができるが、万一、薬を飲み忘れた場合であっても、いつ服用すべき薬であったかを患者自身や看護師等が一見して確認することができる病院用薬箱１である。
【００２２】
本考案の病院用薬箱１は、主に薬箱本体１ａと間仕切り１ｂとからなり、薬箱本体１ａの内部を複数の間仕切り１ｂによって複数のスペース２に区分した上方開放形状である。薬箱本体１ａは、長手方向Ｘの壁板１ａ１、１ａ２と、短手方向の壁板１ａ３、１ａ４と、底板１ａ５で構成されている。
【００２３】
薬箱本体１ａや間仕切り１ｂの大きさは問わないため、病院用薬箱１の載置場所（病院に設置されている床頭台等）を考慮して適宜選択することができる。間仕切り１ｂ自体の幅も適宜選択することができるが、後述のように間仕切り１ｂの平面に一週間の曜日や投薬時間帯を明記するため、ある程度の幅を設ける必要がある。
【００２４】
また、薬箱本体１ａや間仕切り１ｂの素材は問わないため、どのような素材であってもよい。例えば、薬箱本体１ａや間仕切り１ｂは、樹脂等の一体成形が望ましい。
【００２５】
薬箱本体１ａには、患者の名札を入れることができる名札入れ１ｃを備える構成も考えられる。これにより、病院用薬箱１の取り違いや、薬の誤飲等を防止することができる。
【００２６】
また、薬箱本体１ａの底の四隅に足部１ｄを備える構成あってもよい（図２参照）。これにより、病院用薬箱１を積み上げた際の位置決め、固定等が可能となる。したがって、病院用薬箱１は複数段に積み上げることができ、積み上げた状態で使用することができる。また、不使用時には積み上げて保管することができる。
【００２７】
なお、この足部１ｄをゴム等とした場合、病院用薬箱１を滑り難くすることもできる。また、底面には、病院用薬箱１を滑り難くするため、滑り止め１０を備える構成も考えられる。具体的には、長手方向Ｘに滑り止め１０を備える構成、短手方向Ｙに滑り止め１０を備える構成、長手方向Ｘ及び短手方向Ｙに滑り止め１０を備える構成等が考えられる。
【００２８】
薬箱本体１ａの長手方向Ｘの壁板１ａ１、１ａ２の開口部１ｆ側に切欠１ｇを備えている。この切欠１ｇは、例えば、病院用薬箱１を水で洗浄した後、逆さにして乾かす際に通気を良くするためのものである。したがって、このような効果を奏するのであればどのような大きさ、形状であってもよい。切欠１ｇは、一箇所のみならず、複数箇所に備える構成であってもよい。
【００２９】
なお、病院用薬箱１は、病院での使用に限らず、薬を使用する場合がある施設、例えば、介護施設、老人施設、宿泊施設等であってもよい。
【００３０】
病院用薬箱１は、薬箱本体１ａ内を複数枚の間仕切り１ｂによって区分けされることにより複数のスペース２が形成されることになるが、スペース２の広狭は問わない。すわなち、各スペース２は、どのようなサイズであってもよい。
【００３１】
そして、このスペース２は、薬を収容する薬収容スペース４と、箸Ｓ又は箸箱Ｃを収容する箸収容スペース６と、に大別される。薬収容スペース４には、患者が服用する薬を収容する。また、箸収容スペース６には、患者が食事の際に使用する箸Ｓを直接収容するか、又は、箸Ｓを入れた状態の箸箱Ｃを収容する。
【００３２】
薬収容スペース４と箸収容スペース６はどのような配置関係であってもよいが、図１等で図示するように、薬収容スペース４と薬収容スペース４との間が箸収容スペース６、すなわち、箸収容スペース６の両隣が薬収容スペース４とする配置関係が望ましい。これは、病院に設置されている床頭台は、物を載せる載置部分が狭く、仮に、箸収容スペース６が病院用薬箱１のどちらか片方に配置されているような場合、箸収容スペース６の近傍に物（テレビ等）が存在することがあり、箸収容スペース６から箸Ｓ又は箸箱Ｃを取り出し難くなる場合があるからである。箸収容スペース６が薬収容スペース４と薬収容スペース４との間に配置されている場合、このような問題が生じるおそれは少なくなるといえ、右利きの患者、左利きの患者の区別なく箸収容スペース６から箸Ｓ又は箸箱Ｃを取り出し易くなる。もちろん、箸収容スペース６を薬収容スペース４の間に配置せず、病院用薬箱１の長手方向Ｘや短手方向Ｙの端側に配置してもよい。
【００３３】
スペース２は、長手方向Ｘの複数の間仕切り１ｂと短手方向Ｙの複数の間仕切り１ｂが格子状に組み合わされて形成されているが、長手方向Ｘの複数の間仕切り１ｂが病院用薬箱１の高さ方向Zに交互に段違いで配置されていてもよい。すなわち、間仕切り１ｂ高さが低いものと高いものとが混在していてもよい。
【００３４】
間仕切り１ｂによって区画される箸収容スペース６は、箸Ｓや箸箱Ｃを載置する底板６ｅ、その左右である長手方向Ｘの間仕切り１ｂ（壁板６ａ、６ｂ）、前後である短手方向Ｙの間仕切り１ｂ（壁板６ｃ、６ｄ）で構成される上方開口形状である。なお、以下の説明においては、箸収容スペース６の長手方向半分を基準として、その前側を奥側Ｉとし、後側を手前側Ｔとする。
【００３５】
箸収容スペース６は、その底板６ｅの長手方向Ｘの手前側Ｔを下方に傾斜した傾斜部６ｅ１としている。傾斜角度は、適宜選択することができる。底板６ｅに載置した箸Ｓや箸箱Ｃの持ち代を押し下げることによって箸Ｓや箸箱Ｃが取り出し易くなる角度であればどのような角度であってもよい（図２、図４参照）。
【００３６】
底板６ｅの奥側Ｉに箸枕６ｅ２を備えている。箸枕６ｅ２を備えたのは、箸Ｓを箸収容スペース６に直接入れた際に、箸先側が底板６ｅに触れないようにするためであるため、このような効果を奏するのであればどのような大きさ、形状であってもよい。例えば、短手方向Ｙに一本に延びる構成の他、複数の点等で箸枕６ｅ２を構成してもよい。また、素材に関しても適宜選択することができる。薬箱本体１ａや間仕切り１ｂと同じ素材の他、一部（例えば、箸Ｓの使い代の部分と当設する部分）にゴム等の別素材を介在させてもよい。
【００３７】
箸収容スペース６の長手方向Ｘの壁板６ａ、６ｂの内側の壁面６ａ１、６ｂ１に凸部７を備えている。凸部７を備えたのは、箸を箸収容スペースに直接入れた際に、箸Ｓの箸先側が壁面６ａ１、６ｂ１に触れないようにするためであるため、このような効果を奏するのであればどのような大きさ、形状であってもよい。例えば、上下方向に一本に延びる構成の他、複数の点等で凸部７を構成してもよい。
【００３８】
箸収容スペース６の長手方向Ｘの壁板６ａ、６ｂの平面の一部に凹部８を備えている。この凹部８は、箸Ｓや箸箱Ｃを取り出し易くするためのものであるため、このような効果を奏するのであればどのような形状であってもよい。例えば、半円形状、台形状等であってもよい。なお、凹部８の端部については、丸みを帯びた形状とすることが望ましい。
【００３９】
間仕切り１ｂによって区画される薬収容スペース４は、底板４ｅ、その左右である長手方向の壁板４ａ、４ｂ、前後である短手方向の壁板４ｃ、４ｂで構成される上方開口形状である。
【００４０】
薬収容スペース４は、薬を取り出し易くするため、底板４ｅに丸みが形成されている。このような効果を奏するのであればどのような丸み形状であってもよい。具体的には、側面視Ｕ字形状等が挙げられる（図３参照）。なお、底板４ｅは、病院用薬箱１の薬箱本体１aを構成する底板１a５であってもよい。
【００４１】
薬収容スペース４の開口部４ｆの四隅にＲ形状４ｆ１が形成される（図１参照）。このＲ形状４ｆ１は、汚れを洗浄し易くするためのものであるため、このような効果を奏するのであればどのような大きさであってもよい。
【００４２】
間仕切り１ｂ、具体的には、薬収容スペース４を構成する壁板６ｂの平面、薬箱本体１aを構成する壁板１ａ４側の間仕切り１ｂの平面等に、一週間の曜日と投薬時間帯を明記する。図１では壁板６ｂの平面に一週間の曜日を、壁板１ａ４側の間仕切り１ｂの平面に投薬時間帯を明記している。なお、薬収容スペース４の各壁面４ａ〜４ｄ、壁板１ａ４、壁板１ａ４に別部材を設けて、その別部材の平面等に投薬時間帯を明記してもよい。
【００４３】
例えば、一週間の曜日としては、薬収容スペース４に相当する箇所の壁板６ｂの平面に「日」、「月」、「火」、「水」、「木」、「金」、「土」を明記する。投薬時間帯としては、壁板１ａ４側の間仕切り１ｂの平面に、例えば、朝食を表す「朝」、昼食を表す「昼」、夕食を表す「夕」や、食事の前に服用する意味の「前」、食事の後に服用する意味の「後」を明記する。なお、「前」に変えて「食前」、「後」に変えて「食後」と明記してもよいことは勿論である。
【００４４】
これらの組合せによって、薬収容スペース４に収容されている薬がどの曜日のどの投薬時間帯に服用する薬であるかが明確となり、万一、薬を服用していない場合は、その服用していない曜日の投薬時間帯の薬を一見して確認することができる。
【００４５】
各スペース２を一番右の第一列（Ａ列）、第二列目及び第三列目（Ｂ列）、箸収容スペース６（Ｃ列）、第四列（Ｄ列）に区分けして説明する（図１参照）。
【００４６】
Ａ列には主にはその他の薬（例えば、就寝前に服用する薬）を収容する。図１では、壁板１ａ４側の間仕切り１ｂの平面に「他」の表示を行っている。また、Ｂ列及びＣ列には主に食前又は食後に服用する薬を収容する。そして、これら投薬時間帯の表示を「日」から「土」の曜日と組み合わせることによって、どの曜日のどの投薬時間帯に服用する薬かが一見して確認することができる。なお、Ａ列からＤ列の組合せは任意であり、また、それぞれの列の数も任意である。
【００４７】
病院用薬箱１の手前側から見た図５からわかるように、Ａ列（その他に服用する薬を入れる薬収容スペース４）及びＣ列（箸収容スペース６）の底側は、底上げした状態となった複数の底上部１ｈを形成している。これらの底上部１ｈは、底から見ると空洞となっている。底上部１ｈの隅部に丸み１ｈ１を形成することによって、病院用薬箱１を洗浄し易くすることができる（図２参照）。
【００４８】
Ａ列のスペースは、その他、例えば就寝前のような服用する薬が少ない場合を考慮して、他の列のスペースよりも浅く狭くする構成でもよい。この構成によれば、少ない薬を容易に取り出すことができる。逆に言うと、Ｂ列やＤ列のスペースは、就寝前等に服用する薬よりも多い場合があるので、Ｂ列やＤ列のスペースはＡ列のスペースよりも深く広くする構成であってもよい。この構成によれば、より多くの薬を収容することができる。
【００４９】
底上部１ｈを形成することによって、さらに箸Ｓや箸箱Ｃを取り出し易くなり、また、底上部１ｈを空洞とすることによって、材料費を抑えることができる。
【００５０】
図６で図示した封止具９を薬収容スペース４の開口部４ｆに備えることもできる。この封止具９の本体部９ａの平面に、例えば、「お薬なし」、「お薬服用なし」、「服用なし」等と表示して、その封止具９によって開口部４ｆを封止すれば、封止された薬収容スペース４には薬を服用する必要がないということが一見して確認できる。
【００５１】
封止具９は、薬収容スペース４の開口部４ｃを封止することができればどのような大きさ、形状であってもよい。例えば、薬収容スペース４の開口部４ｆに適合する大きさで、略コの字形状とすることが考えられる。ここで、略コの字形状の封止具９の構成としては、本体部９ａと、この本体部９ａから直角に立設した係止部９ｂとからなり、係止部９ｂの先端に切り込み９ｃを設ける。そして、この切り込み９ｃを利用して薬収容スペース４の開口部４ｃに係止することによって薬収容スペース４の開口部４ｆを封止することができる。
【図面の簡単な説明】
【００５２】
【図１】病院用薬箱の平面図である。
【図２】病院用薬箱の底面図である。
【図３】病院用薬箱の一部透視した斜視図である。
【図４】箸収容スペースに箸、箸箱を載置した状態の病院用薬箱の一部透視した側面図であり、箸を押し下げた状態を図示したものである。
【図５】病院用薬箱を手前側から見た一部透視した正面図である。
【図６】封止具の斜視図である。
【符号の説明】
【００５３】
１：病院用薬箱
１ａ：薬箱本体
１ａ１：壁板
１ａ２：壁板
１ａ３：壁板
１ａ４：壁板
１ａ５：底板
１ｂ：間仕切り
１ｃ：名札入れ
１ｄ：足部
１ｆ：開口部
１ｇ：切欠
１ｈ：底上部
１ｈ１：丸み
２：スペース
４：薬収容スペース
４ａ壁面
４ｂ壁面
４ｃ：壁板
４ｄ：壁板
４ｅ：底板
４ｆ：開口部
４ｆ１：Ｒ形状
６：箸収容スペース
６ａ：壁板
６ａ１：壁面
６ｂ：壁板
６ｂ１：壁面
６ｃ：壁板
６ｄ：壁板
６ｅ：底板
６ｅ１：傾斜部
６ｅ２：箸枕
７：凸部
８：凹部
９：封止具
９ａ：本体部
９ｂ：係止部
９ｃ：切り込み
１０：滑り止め
Ｘ：長手方向
Ｙ：短手方向
Z：高さ方向
Ｉ：奥側
Ｔ：手前側
Ｓ：箸
Ｃ：箸箱
【図１】
0003221059.tif 000003
【図２】
0003221059.tif 000004
【図３】
0003221059.tif 000005
【図４】
0003221059.tif 000006
【図５】
0003221059.tif 000007
【図６】
0003221059.tif 000008
【手続補正書】
【提出日】平成31年2月20日(2019.2.20)
【手続補正１】
【補正対象書類名】実用新案登録請求の範囲
【補正対象項目名】全文
【補正方法】変更
【補正の内容】
【実用新案登録請求の範囲】
【請求項１】
内部を間仕切りによって複数のスペースに区分した上方開放の病院用薬箱であって、
前記スペースは、薬を収容する薬収容スペースと、箸又は箸箱を収容する箸収容スペースと、に大別され、
前記箸収容スペースは、構成する底板の長手方向の手前側が下方に傾斜し、かつ、この底板の奥側に箸枕を備え、
さらに、前記箸収容スペースを構成する長手方向の壁板に凸部及び凹部を備え、
前記間仕切りに一週間の曜日と投薬時間帯を明記することによって、服用していない薬を一見して確認できることを特徴とした病院用薬箱。
【請求項２】
前記箸収容スペースの両隣に前記薬収容スペースを配置したことを特徴とした請求項１に記載の病院用薬箱。
【請求項３】
前記薬収容スペースの底面に丸みが形成されたことを特徴とした請求項１又は請求項２に記載の病院用薬箱。
【請求項４】
前記薬収容スペースの開口部の四隅にＲ形状が形成されたことを特徴とした請求項１乃至請求項３のいずれか一に記載の病院用薬箱。
【請求項５】
前記病院用薬箱の薬箱本体の長手方向の壁面の開口部側に切欠を備えたことを特徴とした請求項１乃至請求項４のいずれか一に記載の病院用薬箱。
【請求項６】
前記薬収容スペースの前記開口部を封止する封止具を備えたことを特徴とした請求項４又は請求項５に記載の病院用薬箱。
【請求項７】
前記スペースは、前記病院用薬箱に対して長手方向の複数の間仕切りと短手方向の複数の間仕切りが格子状に組み合わされて形成され、
長手方向の複数の前記間仕切りが前記病院用薬箱の高さ方向に交互に段違いで配置されていることを特徴とした請求項１乃至請求項６のいずれか一に記載の病院用薬箱。